(57)【特許請求の範囲】
【請求項１】
車両の上部に設置された架台と、該架台に沿って車両の前後方向に延在するガイドフレームと、梯子を搭載すると共に前記ガイドフレームに沿って移動自在に設置されたラダーフレームとを有する梯子昇降装置において、前記ラダーフレームの長手方向の中間部に前記車両の前方側に向かって延長するスライドフレームを前記ラダーフレームに対して揺動自在に連結し、前記スライドフレームを前記ガイドフレームに対して係合させ、前記ラダーフレームに前記スライドフレームを該ラダーフレームに対して一体的に固定するロック装置を設けると共に、前記ラダーフレームに前記ロック装置の開閉を行うためのスイッチを設けたことを特徴とする梯子昇降装置。
【請求項２】
前記架台の後端部に前記ラダーフレームが最も車両後方側へ移動した状態において前記スライドフレームを支持する支持体を設けたことを特徴とする請求項１に記載の梯子昇降装置。
【請求項３】
前記ガイドフレームに前記スライドフレームの車両後方側への移動速度を減じる減速装置を設けたことを特徴とする請求項１又は２に記載の梯子昇降装置。
【発明の詳細な説明】
【技術分野】
【０００１】
本発明は、車両に搭載された梯子の昇降を行う梯子昇降装置に関し、更に詳しくは、作業者の人数に応じて梯子の降下状態を選択することを可能にし、梯子搬送時の作業性を改善するようにした梯子昇降装置に関する。
【背景技術】
【０００２】
救助工作車や消防自動車等の車両の上部には、三連梯子やかぎ付き梯子等の梯子が搭載されている。このように梯子は、緊急の際などに車両から降ろされ、現場に運ばれて使用され、使用後には車両の上部に戻される。
【０００３】
従来、車両に搭載された梯子の昇降を行う梯子昇降装置として、車両の上部に設置された架台と、通常は架台上に位置して梯子を搭載するラダーフレームとを有し、そのラダーフレームを旋回機構やガイド機構により車両後方側へ移動させ、作業者の手が届く範囲においてラダーフレームを傾斜させた状態で保持する装置が提案されている（例えば、特許文献１参照）。
【０００４】
このような梯子昇降装置を備えた車両では、ラダーフレームを車両後方側において傾斜させた状態で作業者がラダーフレームから梯子を取り外し、その梯子を現場に搬送する。例えば、二人の作業者により搬送作業を行う場合、一方の作業者が梯子の一端を持って該梯子をラダーフレーム上でスライドさせながら引き出した後、他方の作業者が梯子の他端を持ち、これら二人の作業者で梯子を搬送することになる。
【０００５】
ところが、緊急を要する場合においては十分な作業者を確保することができず、一人の作業者が梯子をラダーフレームから降ろして搬送することが求められる場合がある。このような場合、一人の作業者が梯子を一旦地面に下し、その状態から梯子に付設されたキャスターを利用して梯子の搬送を行うことになる。
【０００６】
しかしながら、上述した従来の梯子昇降装置を備えた車両では、ラダーフレームを車両後方側において傾斜させた状態から梯子の下端をそのまま地面に下した場合、一人で梯子を反転させることが極めて困難である。また、ラダーフレームを車両後方側において傾斜させた状態から梯子の一端側を引っ張って他端側を地面に引き落とすことも考えられるが、その場合、梯子が損傷する恐れがある。そのため、上述した梯子昇降装置は梯子の搬送作業を一人で行う場合には適していない。
【先行技術文献】
【特許文献】
【０００７】
【特許文献１】特許５２７５２０６号公報
【発明の概要】
【発明が解決しようとする課題】
【０００８】
本発明の目的は、作業者の人数に応じて梯子の降下状態を選択することを可能にし、梯子搬送時の作業性を改善するようにした梯子昇降装置を提供することにある。
【課題を解決するための手段】
【０００９】
上記目的を達成するための本発明の梯子昇降装置は、車両の上部に設置された架台と、該架台に沿って車両の前後方向に延在するガイドフレームと、梯子を搭載すると共に前記ガイドフレームに沿って移動自在に設置されたラダーフレームとを有する梯子昇降装置において、前記ラダーフレームの長手方向の中間部に前記車両の前方側に向かって延長するスライドフレームを前記ラダーフレームに対して揺動自在に連結し、前記スライドフレームを前記ガイドフレームに対して係合させ、前記ラダーフレームに前記スライドフレームを該ラダーフレームに対して一体的に固定するロック装置を設けると共に、前記ラダーフレームに前記ロック装置の開閉を行うためのスイッチを設けたことを特徴とするものである。
【発明の効果】
【００１０】
本発明では、車両の上部に設置された架台と、該架台に沿って車両の前後方向に延在するガイドフレームと、梯子を搭載すると共にガイドフレームに沿って移動自在に設置されたラダーフレームとを有する梯子昇降装置において、ラダーフレームの長手方向の中間部に車両の前方側に向かって延長するスライドフレームをラダーフレームに対して揺動自在に連結し、スライドフレームをガイドフレームに対して係合させた構造を採用することにより、ラダーフレームとスライドフレームとを一体的に保持しながらラダーフレームをガイドフレームに沿って車両後方側へ移動させて該ラダーフレームを傾斜させた第１傾斜状態と、その第１傾斜状態からラダーフレームをスライドフレームに対して揺動させて該ラダーフレームを起立させた第２傾斜状態とを実現することができる。
【００１１】
第１傾斜状態ではラダーフレームの下端が作業者の腰位置付近にあると共にラダーフレームの傾斜が緩やかであるため二人の作業者による梯子の搬送作業を円滑に行うことができ、第２傾斜状態ではラダーフレームの下端が地面付近にあると共にラダーフレームが鉛直方向に近い状態で起立するため一人の作業者が梯子の下端を地面に下した後でその梯子を容易に反転させることができる。従って、本発明によれば、作業者の人数に応じて梯子の降下状態を適宜選択し、梯子搬送時の作業性を改善することができる。
【００１２】
本発明において、架台の後端部にはラダーフレームが最も車両後方側へ移動した状態においてスライドフレームを支持する支持体を設けることが好ましい。このような支持体を設置することにより、第１傾斜状態においてスライドフレーム及びそれに連結されたラダーフレームを安定的に支持することができる。
【００１３】
また、ガイドフレームにはスライドフレームの車両後方側への移動速度を減じる減速装置を設けることが好ましい。このような減速装置をガイドフレームに設置することにより、ラダーフレームの車両後方側への移動作業を円滑に行うことができる。
【００１４】
更に、ラダーフレームにはスライドフレームを該ラダーフレームに対して一体的に固定するロック装置を設けることが好ましい。このようなロック機構をラダーフレームに設けることにより、第１傾斜状態から第２傾斜状態への切り替えを円滑に行うことができる。
【図面の簡単な説明】
【００１５】
【図１】本発明の実施形態からなる梯子昇降装置を示す側面図である。
【図２】図１の梯子昇降装置の第１傾斜状態を示す側面図である。
【図３】図１の梯子昇降装置の第２傾斜状態を示す側面図である。
【図４】ガイドレールを備えた架台を示す平面図である。
【図５】スライドフレームを備えたラダーフレームを示す底面図である。
【図６】第１傾斜状態における梯子の搬送作業を示す説明図である。
【図７】第２傾斜状態における梯子の搬送作業を示す説明図である。
【発明を実施するための形態】
【００１６】
以下、本発明の構成について添付の図面を参照しながら詳細に説明する。図１〜図７は本発明の実施形態から梯子昇降装置を示すものである。
【００１７】
図１〜図３に示すように、本実施形態の梯子昇降装置は、救助工作車からなる車両１の上部に設置されている。この車両１は工具等を収納するための複数の収納庫２を備えている。車両１の後輪３よりも後方側には作業台４が設置され、その作業台４には手摺り５，６が設けられている。なお、車両１の構成は特に限定されるものではない。
【００１８】
この梯子昇降装置は、車両１の上部に設置された架台１１と、架台１１に沿って車両１の前後方向に延在する一対のガイドフレーム１２と、梯子１３を搭載するラダーフレーム１４とを備えている。ガイドフレーム１２はそれぞれ長手方向に沿って凹溝からなる案内路を備えている。梯子１３はその構成が特に限定されるものではないが、ここでは脚部１５やキャスター１６を備えている。ラダーフレーム１４はガイドフレーム１２に沿って移動自在に構成されている。このラダーフレーム１４は、通常、架台１１上に載置されているが、梯子１３を使用する際に車両１の後方側に手動で引き出される。また、架台１１にはラダーフレーム１４を把持するための把持装置１７が設置されており、この把持装置１７の開閉をハンドル１８により操作するようになっている。
【００１９】
ラダーフレーム１４は梯子１３を搭載可能であり、これを任意に固定する機能を有しているが、その具体的な構造が特に限定されるものではない。ラダーフレーム１４の長手方向の中間部、好ましくは、ラダーフレーム１４の長手方向の中央部には、車両１の前方側に向かって延長するスライドフレーム１９が連結されている。図３及び図５に示すように、スライドフレーム１９は梯子状の構造を有し、回転軸２０を介してラダーフレーム１４に対して揺動自在に支持されている。スライドフレーム１９の先端部には一対のガイドローラ２１が取り付けられており、これらガイドローラ２１がガイドフレーム１２に対して係合している。各ガイドフレーム１２の後端部には、ガイドローラ２１を車両１１の前方側に付勢し、スライドフレーム１９の車両後方側への移動速度を減じる減速装置２２が設置されている。このような減速装置２２としては、例えば、スプリングを使用することができる。
【００２０】
また、ラダーフレーム１４にはスライドフレーム１９と同一面を形成するようにスライドレール２３が設置されている。このようにスライドフレーム１９に対してスライドレール２３を併設することにより、ラダーフレーム１４が架台１１上を円滑に移動する。図３及び図５に示すように、ラダーフレーム１４にはロック装置２４が設置されている。このロック装置２４は鉤状のフックをスライドフレーム１９に係合させることで、該スライドフレーム１９をラダーフレーム１４に対して一体的に固定するようになっている。ロック装置２４の開閉はラダーフレーム１４に設置されたスイッチ２５により操作するようになっている。
【００２１】
更に、ラダーフレーム１４の後端部にはその移動を行うためのレバー２６が取り付けられている。レバー２６はラダーフレーム１４が架台１１上にある状態において下方に向けて延長しつつ前方側に傾斜している。そのため、ラダーフレーム１４を引き出して後述する第１傾斜状態又は第２傾斜状態とした際にレバー２４が地面と干渉しないようになっている。
【００２２】
一方、架台１１の後端部には、図４に示すように、車両１の前後方向に移動するラダーフレーム１４と接触した際に転動する支持ローラ２７と、ラダーフレーム１４が最も車両後方側へ移動した状態においてスライドフレーム１９を支持する支持体２８が配設されている。支持体２８は、ラダーフレーム１４が傾斜した状態で初めてスライドフレーム１９と接触するため、支持ローラ２７よりも後方側かつ下方側に配置されている。支持体２８としては架台１１の幅方向に延在する棒材を使用することが可能であるが、例えば、その表面はゴム等のクッション材料で被覆することが好ましい。
【００２３】
次に、上述した梯子昇降装置による梯子搬送作業について説明する。先ず、車両１が走行状態又は通常の停車状態にあるとき、梯子１３を搭載するラダーフレーム１４は架台１１上に位置させておく。
【００２４】
梯子１３を使用する場合、ハンドル１８の操作により把持装置１７によるラダーフレーム１４の固定を解除し、レバー２６を車両１の後方側に引っ張ることにより、ラダーフレーム１４を後方側に移動させる。これにより、ラダーフレーム１４はガイドフレーム１２に沿って後方側へ移動し、それに伴ってラダーフレーム１４の傾斜角度が大きくなる。また、ラダーフレーム１４の後方側への突き出し量が大きくなると、減速装置２２が機能してスライドフレーム１９の車両後方側への移動速度を減じる。そのため、ラダーフレーム１４の引き出し作業が安全に行われる。そして、ラダーフレーム１４が最も後方側へ移動した状態においてスライドフレーム１９が支持体２８により支持される。これにより、図２に示すように、ラダーフレーム１４とスライドフレーム１９とを一体的に保持しながらラダーフレーム１４を傾斜させた第１傾斜状態となる。
【００２５】
更に、第１傾斜状態からスイッチ２５の操作によりロック装置２４による固定を解除し、ラダーフレーム２４をスライドフレーム１９に対して揺動させることにより、図３に示すように、ラダーフレーム２４を起立させた第２傾斜状態となる。
【００２６】
図６は第１傾斜状態における梯子の搬送作業を示す説明図である。第１傾斜状態では、ラダーフレーム１４の下端が作業者の腰位置付近にあり、ラダーフレーム１４の傾斜が緩やかであるため、二人の作業者で搬送作業を行う場合に好適である。つまり、二人の作業者により搬送作業を行う場合、図６に示すように、一方の作業者が梯子１３の一端を持って梯子１３をラダーフレーム１４上でスライドさせながら引き出した後、他方の作業者が梯子１３の他端を持ち、二人の作業者で梯子１３を搬送することができる。
【００２７】
図７は第２傾斜状態における梯子の搬送作業を示す説明図である。第２傾斜状態では、ラダーフレーム１４の下端が地面付近にあり、ラダーフレーム１４が鉛直方向に近い状態で起立するため、一人の作業者で搬送作業を行う場合に好適である。つまり、一人の作業者により搬送作業を行う場合、図７に示すように、一人の作業者が梯子１３の下端を地面に下した後でその梯子１３は反転させるが、ラダーフレーム１４の下端が地面付近にあり、ラダーフレーム１４が鉛直方向に近い状態で起立しているため、その反転作業を容易に行うことができる。このようにして地面に寝かせた梯子１３はそのキャスター１６を利用して一人でも搬送することができる。また、梯子１３を高い位置から乱暴に落下させることもないので、梯子１３の損傷を回避することができる。
【００２８】
上述した説明から明らかなように、上記梯子昇降装置では、作業者の人数に応じて、梯子１３の降下状態として第１傾斜状態と第２傾斜状態を適宜選択することができ、梯子１３を搬送する際の作業性を改善することができる。
【００２９】
なお、梯子１３を車両１の上部に戻す場合には、上述の動作を逆に行うようにすれば良い。その際、二人の作業者のときは第１傾斜状態において梯子１３をラダーフレーム１４上に積み込み、一人の作業者のときは第２傾斜状態において梯子１３をラダーフレーム１４上に積み込むようにすれば良い。
【００３０】
上記梯子昇降装置において、架台１１の後端部にはラダーフレーム１４が最も車両後方側へ移動した状態においてスライドフレーム１９を支持する支持体２８を設けているので、第１傾斜状態においてスライドフレーム１９及びそれに連結されたラダーフレーム１４を安定的に支持することができる。そのため、第１傾斜状態において梯子１３の搬送作業を円滑に行うことができる。
【００３１】
また、上記梯子昇降装置において、ガイドフレーム１２にはスライドフレーム１９の車両後方側への移動速度を減じる減速装置２２を設けているので、ラダーフレーム１４の車両後方側への移動作業を円滑に行うことができる。勿論、作業者に安全性を確保する上でも減速装置２２は有効である。
【００３２】
更に、上記梯子昇降装置において、ラダーフレーム１４にはスライドフレーム１９をラダーフレーム１４に対して一体的に固定するロック装置２４を設けているので、第１傾斜状態から第２傾斜状態への切り替えを円滑に行うことができる。通常は第１傾斜状態において二人の作業者が梯子１３を取り扱うことが想定されるが、やむを得ず一人の作業者が梯子１３を取り扱う場合、ロック装置２４を解除して第２傾斜状態へ移行すれば良い。
【００３３】
上述した実施形態では車両が救助工作車である場合について説明したが、本発明では対象となる車両の種類が限定されるものではなく、梯子を搬送することが必要とされる各種車両に適用可能である。特に、本発明に係る梯子昇降装置は救助工作車において有効である。
【符号の説明】
【００３４】
１  車両
１１  架台
１２  ガイドフレーム
１３  梯子
１４  ラダーフレーム
１７  把持装置
１８  ハンドル
１９  スライドフレーム
２０  回転軸
２１  ガイドローラ
２２  減速装置
２３  スライドレール
２４  ロック装置
２５  スイッチ
２６  レバー
２７  支持ローラ
２８  支持体
【図１】
0006435214.tif 000002
【図２】
0006435214.tif 000003
【図３】
0006435214.tif 000004
【図４】
0006435214.tif 000005
【図５】
0006435214.tif 000006
【図６】
0006435214.tif 000007
【図７】
0006435214.tif 000008